(57)【要約】【課題】直管状の冷陰極ランプを直列に接続することによって、所要の紫外線出力を確保しつつ、小型化と長寿命及び省電力化を実現することができる水殺菌装置を提供すること。【解決手段】紫外線を透過する管体２と、該管体２内に収容された紫外線ランプを備え、前記紫外線ランプ３から出射する紫外線の照射によって水を殺菌する水殺菌装置１において、前記紫外線ランプとして直管状の冷陰極ランプ３を使用するとともに、複数の冷陰極ランプ３を直列に接続する。又、複数の前記冷陰極ランプ３の各リード線７同士をスプライスバンド８によって、或いは、複数の前記冷陰極ランプ３の各リード線７同士をハンダ付けによってそれぞれ接続する、【選択図】図１
2016068056.tif 000002
【特許請求の範囲】
【請求項１】
紫外線を透過する管体と、該管体内に収容された紫外線ランプを備え、前記紫外線ランプから出射する紫外線の照射によって水を殺菌する水殺菌装置において、
前記紫外線ランプとして直管状の冷陰極ランプを使用するとともに、複数の冷陰極ランプを直列に接続したことを特徴とする水殺菌装置。
【請求項２】
複数の前記冷陰極ランプの各リード線同士をスプライスバンドによって接続したことを特徴とする請求項１記載の水殺菌装置。
【請求項３】
複数の前記冷陰極ランプの各リード線同士をハンダ付けによって接続したことを特徴とする請求項１記載の水殺菌装置。
【請求項４】
複数の前記冷陰極ランプの下端部にゴムソケットを装着し、該ゴムソケットを前記管体の内壁に嵌合させることによって前記冷陰極ランプと前記管体との衝突を防ぐことを特徴とする請求項１〜３の何れかに記載の水殺菌装置。
【発明の詳細な説明】
【技術分野】
【０００１】
本発明は、紫外線ランプから出射する紫外線の照射によって水を殺菌する水殺菌装置に関するものである、
【背景技術】
【０００２】
紫外線の照射によって飲料水等を殺菌する水殺菌装置は、紫外線を透過する石英管等の管体と、該管体内に収容された紫外線ランプを含んで構成されている。斯かる水殺菌装置として、特許文献１には、図５に示すものが提案されている。
【０００３】
即ち、図５は特許文献１において提案された水殺菌装置の縦断面図であり、図示の水殺菌装置１０１は、水を流す水路１１０と、該水路１１０内に設けられて紫外線を透過する管体１０２と、該管体１０２内に設けられた紫外線ランプ１０３と、前記管体１０２内に設けられたセンサ１１１を備えている。この水殺菌装置１０１においては、水路１１０を流れる水に、紫外線ランプ１０３から出射する紫外線が照射されることによって該水が殺菌されるが、漏水によって管体１０２内に水が浸入した場合には、そのことがセンサ１１１によって検知されて紫外線ランプ１０３への給電が停止され、水への漏電が阻止されるよう構成されている。
【先行技術文献】
【特許文献】
【０００４】
【特許文献１】特開２００１−２２５０６５号公報
【発明の概要】
【発明が解決しようとする課題】
【０００５】
特許文献１において提案された図５に示す水殺菌装置１０１においては、紫外線ランプ１０３として熱陰極ランプが使用されているが、この熱陰極ランプは、太くて長いために同一電力を用いる水殺菌装置１０１の小型化が不可能であるという問題がある。
【０００６】
又、熱陰極ランプの電極には、エミッタが塗布されたフィラメントが使用されているため、寿命が例えば８０００時間と短く、調光ができないために省電力化ができず、更に複数の熱電極ランプを直列に接続することができない。このため、図６に示す水殺菌装置１０１においては、所要の紫外線出力を得るために紫外線ランプ１０３をＵ字状に折り曲げて管体１０２内に収容している。
【０００７】
本発明は上記問題に鑑みてなされたもので、その目的とする処は、直管状の冷陰極ランプを直列に接続することによって、所要の紫外線出力を確保しつつ、小型化と長寿命及び省電力化を実現することができる水殺菌装置を提供することにある。
【課題を解決するための手段】
【０００８】
上記目的を達成するため、請求項１記載の発明は、紫外線を透過する管体と、該管体内に収容された紫外線ランプを備え、前記紫外線ランプから出射する紫外線の照射によって水を殺菌する水殺菌装置において、前記紫外線ランプとして直管状の冷陰極ランプを使用するとともに、複数の冷陰極ランプを直列に接続したことを特徴とする。
【０００９】
請求項２記載の発明は、請求項１記載の発明において、複数の前記冷陰極ランプの各リード線同士をスプライスバンドによって接続したことを特徴とする。
【００１０】
請求項３記載の発明は、請求項１記載の発明において、複数の前記冷陰極ランプの各リード線同士をハンダ付けによって接続したことを特徴とする。
【００１１】
請求項４記載の発明は、請求項１〜３の何れかに記載の発明において、複数の前記冷陰極ランプの下端部にゴムソケットを装着し、該ゴムソケットを前記管体の内壁に嵌合させることによって前記冷陰極ランプと前記管体との衝突を防ぐことを特徴とする。
【発明の効果】
【００１２】
請求項１記載の発明によれば、紫外線ランプとして、熱陰極ランプよりも細くて短く、且つ、耐久性の高い直管状の冷陰極ランプを使用し、複数の冷陰極ランプを直列二接続したため、所要の紫外線出力を確保しつつ、水殺菌装置の小型化と長寿命及び省電力化を実現することができる。
【００１３】
請求項２記載の発明によれば、複数の冷陰極ランプの各リード線同士をスプライスバンドによって接続することによって、複数の冷陰極ランプを直列に簡単に接続することができる。
【００１４】
請求項３記載の発明によれば、複数の冷陰極ランプの各リード線同士をハンダ付けによって接続することによって、複数の冷陰極ランプを直列に簡単に接続することができる。
【００１５】
請求項４記載の発明によれば、複数の冷陰極ランプの下端部に装着されたゴムソケットを管体の内壁に嵌合させることによって、冷陰極ランプと管体との衝突を確実に防ぐことができる。
【図面の簡単な説明】
【００１６】
【図１】本発明に係る水殺菌装置の縦断面図である。
【図２】本発明に係る水殺菌装置における冷陰極ランプの接続構造を示す部分側面図である。
【図３】図２のＡ−Ａ線断面図である。
【図４】本発明に係る水殺菌装置における冷陰極ランプの接続構造の別形態を示す部分側面図である。
【図５】特許文献１において提案された水殺菌装置の縦断面図である。
【発明を実施するための形態】
【００１７】
以下に本発明の実施の形態を添付図面に基づいて説明する。
【００１８】
図１は本発明に係る水殺菌装置の縦断面図、図２は同水殺菌装置における冷陰極ランプの接続構造を示す部分側面図、図３は図２のＡ−Ａ線断面図である。
【００１９】
本発明に係る水殺菌装置１においては、図１に示すように、有底円筒状の管体２の内部に、紫外線ランプである２本の直管状の冷陰極ランプ３が上方から挿入されている。ここで、管体２は、紫外線を透過する石英ガラス等で構成されており、その上端開口部は、上側ゴムソケット４によって閉塞されており、管体２の上部外周は、ゴムパッキン５と樹脂製の固定部材６を介して不図示のタンクに固定されている。尚、タンクには、殺菌すべき水が収容されている。
【００２０】
上記上側ゴムソケット４とゴムパッキン５は、紫外線に対する耐性が高いシリコンゴム等によって構成されており、上側ゴムソケット４に図示のようにテーパ部４ａを設けることによって、管体２の開口径のバラツキをテーパ部４ａによって吸収して管体２の上端開口部を上側ゴムソケット４によって確実に塞いで水密にシールすることができる。又、ゴムパッキン５は、上側ゴムソケット４と固定部材６との間に介在して両者を水密にシールする機能を果たすものである。
【００２１】
ところで、本実施の形態において紫外線ランプとして使用する前記冷陰極ランプ３は、電極に不図示の金属カップを使用しているため、寿命が２００００時間と長く、調光が可能であるために省電力である。又、電極が金属カップである冷陰極ランプ３からは、図２に示すように、片側（図１及び図２の下端）から１本のリード線７が延びている。従って、１本の冷陰極ランプ３の紫外線出力が所望の値に対して低い場合には、リード線７同士を接続して複数の冷陰極ランプ３を直列に接続することができる。
【００２２】
本実施の形態では、直管状の２本の冷陰極ランプ３を直列に接続することによって所定の紫外線出力を得るようにしているが、本実施の形態では、図３に示すようなホッチキス状のスプライスバンド８で両冷陰極ランプ３のリード線７同士を接続することによって、２本の冷陰極ランプ３を直列に接続している。ここで、スプライスバンド８は、導電性金属によって構成されており、図３に示すように、その両端の折り曲げ部８ａにリード線７を通してカシメることによって、両リード線7がスプライスバンド８によって直列に接続される。尚、本実施の形態では、２本の冷陰極ランプ３からそれぞれ延びるリード線７同士をスプライスバンド８によって接続するようにしたが、図４に示すように、両リード線７同士をハンダ付けすることによって接続するようにしても良い。
【００２３】
而して、スプライスバンド８によるリード線の接続部には、シリコンゴム製の図１に示す下側ゴムソケット９が装着されており、下側ゴムソケット９が管体２の内壁に嵌合することによって、両冷陰極ランプ３が管体２内で平行を保って垂直に支持されている。従って、２本の冷陰極ランプ３と管体２との衝突が下側ゴムソケット９によって防がれており、衝突による冷陰極ランプ３と管体２の割れが発生することがない。
【００２４】
以上のように構成された図１に示す水殺菌装置１において、直列に接続された２本の冷陰極ランプ３に不図示の電源から電流が供給されると、２本の冷陰極ランプ３が点灯して紫外線を出射する。すると、この紫外線は、透明な石英ガラス製の管体２を透過し、不図示のタンク内に収容された水に照射され、紫外線が照射された水は、紫外線の殺菌作用によって殺菌される。
【００２５】
而して、本実施の形態に係る水殺菌装置１においては、従来使用されていた熱陰極ランプよりも細くて短く、且つ、長寿命の冷陰極ランプ３を使用し、直管状の２本の冷陰極ランプ３を直列に接続したため、所要の紫外線出力を確保しつつ、当該水殺菌装置１の小型化と長寿命及び省電力化を実現することができる。
【００２６】
そして、本実施の形態では、２本の冷陰極ランプ３の各リード線７同士をスプライスバンド８によって接続することによって、２本の冷陰極ランプ３を直列に簡単に接続することができる。
【００２７】
尚、本実施の形態では、２本の冷陰極ランプ３を直列に接続するようにしたが、直列に接続される冷陰極ランプ３の本数は任意であって、要求される紫外線出力に応じて本数を決定すれば良い。
【産業上の利用可能性】
【００２８】
本発明に係る水殺菌装置は、ウォーターサーバー。給水器、給茶器、浄水器等において使用される水の殺菌に広く利用される。
【符号の説明】
【００２９】
１      水殺菌装置
２      管体
３      冷陰極ランプ（紫外線ランプ）
４      上側ゴムソケット
５      ゴムパッキン
６      固定部材
７      リード線
８      スプライスバンド
９      下側ゴムソケット
【図１】
2016068056.tif 000003
【図２】
2016068056.tif 000004
【図３】
2016068056.tif 000005
【図４】
2016068056.tif 000006
【図５】
2016068056.tif 000007